(57)【特許請求の範囲】
【請求項１】
着用者の顔の前面を覆うように装着されるフェイスシールドであって、
前記着用者の頭部に装着する頭部装着部と、
該頭部装着部の左右両側部に、該頭部装着部に対して相対回動可能に取り付けられる回動枠部と、
該回動枠部の前方側に取り付けられる透明板と、
前記回動枠部における前記頭部装着部との相対回動の回動中心よりも後方側に取り付けられる回動バランス調整部とを備え、
該回動バランス調整部が、前記頭部装着部と前記回動枠部との相対回動時に、前記回動枠部の傾き姿勢を保持するためのものであることを特徴とするフェイスシールド。
【請求項２】
前記回動バランス調整部が、着脱可能な複数の重り部材を含んで構成されていることを特徴とする請求項１記載のフェイスシールド。
【請求項３】
前記回動バランス調整部が、前記回動枠部に沿ってスライド位置調整可能に取り付けられていることを特徴とする請求項１記載のフェイスシールド。
【請求項４】
前記回動枠部が、回動固定具を介して前記頭部装着部に対して着脱可能に構成されていることを特徴とする請求項１〜３のいずれかの項に記載のフェイスシールド。
【請求項５】
前記頭部装着部が、前記頭部に被せる帽子式、前記頭部に巻装されるバンド式、前記頭部を弾性的に挟持する挟持枠式、又はメガネフレーム式であることを特徴とする請求項１〜４のいずれかの項に記載のフェイスシールド。
【請求項６】
前記透明板が、前記着用者の頭部との間に所定の空隙が確保されるように取り付けられ、
前記空隙に配置される排気手段をさらに備えていることを特徴とする請求項１〜５のいずれかの項に記載のフェイスシールド。
【請求項７】
前記排気手段が、飛沫を捕捉可能なフィルタ部材を装着可能に構成されていることを特徴とする請求項６記載のフェイスシールド。
【請求項８】
前記排気手段が、前記頭部装着部に対して着脱可能に構成されていることを特徴とする請求項６又は請求項７記載のフェイスシールド。
【請求項９】
前記頭部装着部が前記回動中心を中心にして上方向に回動した場合に、前記頭部装着部とともに前記回動枠部を上方向に回動させるように、前記回動枠部又は前記透明板を支持する支持部をさらに備えていることを特徴とする請求項１〜８のいずれかの項に記載のフェイスシールド。
【発明の詳細な説明】
【技術分野】
【０００１】
本発明はフェイスシールドに関し、より詳細には、着用者の顔の前面を覆うように装着されるフェイスシールドに関する。
【背景技術】
【０００２】
感染性物質や粉塵などが顔に飛散してくることを防止するための個人用防護具の一種として、着用者の顔の前面を透明板で覆うフェイスシールドが知られている。
昨今の新型コロナウイルス（COVID-19）感染症の蔓延の状況下、相手からの飛沫を防ぐ他、着用者自身の飛沫の飛散を防止するために、フェイスシールド等の着用が要請される場面が増えてきている。
【０００３】
従来から一般的に知られているフェイスシールドは、透明板が顔の前面に略垂直に近い角度で固定されている固定式のものである。透明板が固定式のフェイスシールドは、医療現場などでは不都合なく使用することができる一方、昨今の飛沫感染防止対策が強く要請されている飲食の場面において、透明板が固定式のフェイスシールドを着用した場合、飲食物を口に運ぶ際に透明板が邪魔となって、スムーズに飲食を行うことができない。
【０００４】
係る課題を解決するためのフェイスシールド（フェイスガードともいう）が下記の特許文献１〜５に開示されている。
特許文献１、２に開示されたフェイスシールドは、頭部に巻装されるベルト部材（ゴム帯、固定ベルト部）に透明板（シールド板ともいう）が上下に回動可能に取り付けられた構成となっている。
また、特許文献３、４、５に開示されたフェイスシールドは、メガネ型のフレーム（装着具）に透明板が上下に回動可能に取り付けられた構成となっている。
上記特許文献１〜５に開示されたフェイスシールドによれば、例えば、飲食の場面において、飲食物などを口に運ぶ前に、透明板を上方に持ち上げた状態にしておけば、口元に飲食のためのスペースを確保することができ、スムーズに飲食を行うことが可能となる。
【０００５】
［発明が解決しようとする課題］
しかしながら、上記特許文献１〜５に開示されたフェイスシールドを着用していても、前記透明板を上方に持ち上げた状態のまま飲食を続けると、飛沫感染を防止する効果を得ることができない。そのため、飛沫感染を防止する効果を得るためには、飲食物を口に運ぶ度に、前記透明板を手で上げ下げするという煩雑な操作が必要となり、非常に煩わしいという課題があった。また、前記透明板を上げ下げする度に、該透明板を手で触れなければならず、該透明板が汚染されやすくなるという課題もあった。
【先行技術文献】
【特許文献】
【０００６】
【特許文献１】実用新案登録第３２２８１０５号公報
【特許文献２】実用新案登録第３２２７９０８号公報
【特許文献３】実用新案登録第３２３１６０３号公報
【特許文献４】実用新案登録第３２３１０３９号公報
【特許文献５】実用新案登録第３２３０４９９号公報
【発明の概要】
【課題を解決するための手段及びその効果】
【０００７】
本発明は上記課題に鑑みなされたものであって、特に飲食の場面で着用した際に、着用者の手を煩わせることなくスムーズに飲食を行うことができ、しかも飛沫の飛散防止対策の実効性を高めることができるフェイスシールドを提供することを目的としている。
【０００８】
すなわち本発明に係るフェイスシールド（１）は、着用者の顔の前面を覆うように装着されるフェイスシールドであって、
前記着用者の頭部に装着する頭部装着部と、
該頭部装着部の左右両側部に、該頭部装着部に対して相対回動可能に取り付けられる回動枠部と、
該回動枠部の前方側に取り付けられる透明板と、
前記回動枠部における前記頭部装着部との相対回動の回動中心よりも後方側に取り付けられる回動バランス調整部とを備え、
該回動バランス調整部が、前記頭部装着部と前記回動枠部との相対回動時に、前記回動枠部の傾き姿勢を保持するためのものであることを特徴としている。
【０００９】
上記フェイスシールド（１）によれば、前記頭部装着部の左右両側部に前記回動枠部が前記頭部装着部に対して相対回動可能に取り付けられ、前記回動枠部の前方側に前記透明板が取り付けられ、前記回動枠部における前記頭部装着部との相対回動の回動中心よりも後方側に前記回動バランス調整部が取り付けられている。
係る構成により、前記回動中心を中心として前記頭部装着部を上下方向に回動させた場合に、前記回動バランス調整部の作用により、前記回動枠部及び前記透明板が、その傾き姿勢を保持する方向に相対回動することとなる。
【００１０】
したがって、前記頭部装着部を頭部に装着した前記着用者が、飲食時に箸などで飲食物を口に運ぶ際に正面を向いた状態から斜め下を向くと、前記着用者の顔の下向き動作に合わせて前記頭部装着部が下方向に回動する一方、前記回動枠部は、前記回動バランス調整部の作用により、その傾き姿勢が正面を向いたときの状態に保持される。そのため、顔を下に向けた前記着用者の口元と前記透明板との間のスペースが広がって、前記着用者は飲食物を口にスムーズに運ぶことができる。
【００１１】
また、前記着用者が、飲食物を口に運び終わった後、斜め下を向いた状態から正面を向くと、前記着用者の顔の上向き動作に合わせて前記頭部装着部が上方向に回動する一方、前記回動枠部は、前記バランス調整部の作用により、その傾き姿勢が正面を向いたときの状態に保持され、前記着用者の顔の正面が前記透明板で覆われた状態に戻る。
したがって、特に飲食の場面で着用した際に、前記着用者の手を煩わせることなく、すなわち、飲食物を口に運ぶ毎に前記透明板を手で上げ下げする必要もなく、スムーズに飲食を行うことができる。しかも前記着用者が正面を向いたときには、顔の正面に前記透明板が配置されている状態に戻っているので、会話等による飛沫の飛散を防ぐことができ、飛沫の飛散防止対策の実効性を高めることが可能となり、飲食等の場面での使い勝手の良さと感染防止対策とが両立されたフェイスシールドを実現できる。
【００１２】
また本発明に係るフェイスシールド（２）は、上記フェイスシールド（１）において、
前記回動バランス調整部が、着脱可能な複数の重り部材を含んで構成されていることを特徴としている。
【００１３】
上記フェイスシールド（２）によれば、前記回動バランス調整部が、着脱可能な複数の重り部材を含んで構成されているので、前記複数の重り部材の装着数を調整することにより、前記回動中心を中心とする前記回動枠部の傾き加減が調整されて、着用時における前記透明板の角度を調整することができる。
【００１４】
また本発明に係るフェイスシールド（３）は、上記フェイスシールド（１）において、
前記回動バランス調整部が、前記回動枠部に沿ってスライド位置調整可能に取り付けられていることを特徴としている。
【００１５】
上記フェイスシールド（３）によれば、前記回動バランス調整部が、前記回動枠部に沿ってスライド位置調整可能に取り付けられているので、前記回動バランス調整部をスライドさせて、その位置を調整することにより、前記回動中心を中心とする前記回動枠部の傾き加減が調整されて、着用時における前記透明板の角度を調整することができる。
【００１６】
また本発明に係るフェイスシールド（４）は、上記フェイスシールド（１）〜（３）のいずれかにおいて、前記回動枠部が、回動固定具を介して前記頭部装着部に対して着脱可能に構成されていることを特徴としている。
【００１７】
上記フェイスシールド（４）によれば、前記回動枠部が、回動固定具を介して前記頭部装着部に対して着脱可能に構成されているので、前記頭部装着部に対する前記回動枠部の取付け位置調整が可能となり、また前記頭部装着部や前記回動枠部の交換が容易にできる。
【００１８】
また本発明に係るフェイスシールド（５）は、上記フェイスシールド（１）〜（４）のいずれかにおいて、前記頭部装着部が、前記頭部に被せる帽子式、前記頭部に巻装されるバンド式、前記頭部を弾性的に挟持する挟持枠式、又はメガネフレーム式であることを特徴としている。
【００１９】
上記フェイスシールド（５）によれば、前記頭部装着部が、前記帽子式又は前記バンド式である場合、頭部に装着したときの安定性を高めることができ、また、前記頭部装着部が、前記挟持枠式又は前記メガネフレーム式である場合、頭部に装着するときの抵抗感を減らすことができる。
【００２０】
また本発明に係るフェイスシールド（６）は、上記フェイスシールド（１）〜（５）のいずれかにおいて、
前記透明板が、前記着用者の頭部との間に所定の空隙が確保されるように取り付けられ、
前記空隙に配置される排気手段をさらに備えていることを特徴としている。
【００２１】
上記フェイスシールド（６）によれば、前記排気手段により、前記着用者の顔面と前記透明板との間の空気の滞留を防ぎ、空気の入れ替えを促進することができる。また、前記透明板が、前記着用者の呼気で曇る現象などを防止することができる。
【００２２】
また本発明に係るフェイスシールド（７）は、上記フェイスシールド（６）において、
前記排気手段が、飛沫を捕捉可能なフィルタ部材を装着可能に構成されていることを特徴としている。
【００２３】
上記フェイスシールド（７）によれば、前記フィルタ部材により前記飛沫が捕捉されることとなり、前記飛沫の飛散を阻止することができ、前記飛沫の飛散防止対策の効果を一層高めることができる。
【００２４】
また本発明に係るフェイスシールド（８）は、上記フェイスシールド（１）〜（５）のいずれかにおいて、前記排気手段が、前記頭部装着部に対して、又は前記着用者の頭部に対して着脱可能に構成されているものであることを特徴としている。
【００２５】
上記フェイスシールド（８）によれば、前記排気手段が、前記頭部装着部に対して、又は前記着用者の頭部に対して着脱可能に構成されているので、使用する場面や前記着用者の要望等に応じて、前記排気手段を適宜装着することができる。
【００２６】
また本発明に係るフェイスシールド（９）は、上記フェイスシールド（１）〜（５）のいずれかにおいて、
前記頭部装着部が前記回動中心を中心にして上方向に回動した場合に、前記頭部装着部とともに前記回動枠部を上方向に回動させるように、前記回動枠部又は前記透明板を支持する支持部をさらに備えていることを特徴としている。
【００２７】
上記フェイスシールド（９）によれば、前記支持部を備えているので、前記頭部装着部が前記回動中心を中心にして上方向に回動した場合には、前記頭部装着部とともに前記回動枠部を上方向に回動させるように、前記支持部により前記回動枠部又は前記透明板が支持される。したがって、前記着用者が顔を大きく上に向けた場合であっても、前記着用者の顔（特に、鼻や口）と、前記透明板とが接触することを防止できる。
【図面の簡単な説明】
【００２８】
【図１】本発明の実施の形態（１）に係るフェイスシールドを模式的に示す斜視図である。
【図２】実施の形態（１）に係るフェイスシールドの使用状態を模式的に示す図であり、着用者が正面を向いているときの状態を示す図である。
【図３】実施の形態（１）に係るフェイスシールドの使用状態を模式的に示す図であり、着用者が斜め下を向いているときの状態を示す図である。
【図４】実施の形態（２）に係るフェイスシールドを模式的に示す斜視図である。
【図５】実施の形態（２）に係るフェイスシールドの使用状態を模式的に示す図であり、着用者が斜め上を向いているときの状態を示す図である。
【図６】別の実施の形態に係るフェイスシールドの使用状態を模式的に示す図であり、（ａ）は、着用者が正面を向いているときの状態、（ｂ）は、着用者が斜め上を向いているときの状態を示す図である。
【図７】実施の形態（３）に係るフェイスシールドを模式的に示す斜視図である。
【図８】別の実施の形態に係るフェイスシールドを模式的に示す斜視図である。
【図９】別の実施の形態に係るフェイスシールドを模式的に示す斜視図である。
【図１０】別の実施の形態に係るフェイスシールドを模式的に示す斜視図である。
【発明を実施するための形態】
【００２９】
以下、本発明に係るフェイスシールドの実施の形態を図面に基づいて説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００３０】
図１は、実施の形態（１）に係るフェイスシールドを模式的に示す斜視図である。
図２は、実施の形態（１）に係るフェイスシールドの使用状態を模式的に示す図であり、着用者が正面を向いているときの状態を示す図である。
【００３１】
フェイスシールド１０は、着用者１（図２参照）の顔の前面を覆うように装着されるものである。フェイスシールド１０は、着用者１の頭部に装着する頭部装着部１１と、頭部装着部１１の左右両側部に、頭部装着部１１に対して相対回動可能に取り付けられる回動枠部２０と、回動枠部２０の前方側に取り付けられる透明板３０と、回動枠部２０における頭部装着部１１との相対回動の回動中心Ａよりも後方側に取り付けられる回動バランス調整部４０とを含んで構成されている。
【００３２】
頭部装着部１１は、ここでは頭部に被せる帽子式（キャップ式）の形態を有しており、前部に鍔部１１ａを備えている。鍔部１１ａの大きさは、着用時に透明板３０に接触しない大きさに設定されている。なお、頭部装着部１１は鍔部１１ａを備えていない形態であってもよい。
【００３３】
回動枠部２０は、頭部装着部１１の左右両側部と前部とを囲う三方枠形状、換言すれば、平面視略Ｕ字形状に変形可能なものであり、例えば、可撓性を有するプラスチック製の帯状板で構成されている。回動枠部２０の材料としては、例えば、ポリプロピレン（ＰＰ）、ポリエチレンテレフタレート（ＰＥＴ）、ポリカーボネート（ＰＣ）などが挙げられるが、これらに限定されない。なお、別の実施の形態では、回動枠部２０がアルミニウムやチタンなどの金属製の部材で構成されてもよい。
【００３４】
回動枠部２０の側面中央付近には、頭部装着部１１の左右両側部に、頭部装着部１１に対して相対回動可能に取り付けるための回動固定具２１が取り付けられている。
回動固定具２１は、頭部装着部１１に着脱可能に取り付けるためのクリップ部２１ａと、回動枠部２０を回動可能に支持する回動支持部２１ｂとを備えている。回動固定具２１は、樹脂製の他、金属製でもよいが、軽量化の観点から樹脂製であることが好ましい。
【００３５】
クリップ部２１ａの形態は、頭部装着部１１の縁に確実に挟着可能な形態であればよく、例えば、目玉クリップ式、洗濯ばさみ（ピンチ）式、スライドクリップ式、フィッシュクリップ式など各種の挟持形態のものが採用され得る。なお、市販されているクリップを用いてもよく、この場合は、コストを抑えることができる。また、クリップ部２１ａは、複数個のクリップで構成されてもよい。
また、回動支持部２１ｂは、例えば、回動枠部２０に形成された軸孔２０ａに挿通される軸部２１ｂａと、軸部２１ｂａを支持する軸支持部２１ｂｂとを備え、軸支持部２１ｂｂとクリップ部２１ａとが一体化された形態となっている。
【００３６】
なお、回動固定具２１は、頭部装着部１１に着脱可能に構成されたものに限定されず、頭部装着部１１の左右両側部に固定された形態のもの、例えば、クリップ部２１ａを備えていない形態、すなわち、回動支持部２１ｂのみで構成されてもよい。また、回動枠部２０の側面後方端部には、回動バランス調整部４０を取り付けるための取付部２０ｂが設けられている。取付部２０ｂは、例えば、取付孔を含んで構成されている。
【００３７】
回動バランス調整部４０は、回動中心Ａを中心とする頭部装着部１１と回動枠部２０との相対回動時に、回動枠部２０の傾き姿勢、換言すれば、透明板３０の傾き姿勢を一定のつり合った状態に保持するように調整するためのものである。
回動バランス調整部４０は、例えば、回動枠部２０の取付部２０ｂに取り付けられる締結具４１と、締結具４１に挿着する重り部材４２とを含んで構成されている。締結具４１は、例えば、ねじ締結を行うボルト部材とナット部材とを含んで構成されているが、重り部材４２を取付部２０ｂに取り付け可能な各種の留め具が採用され得る。重り部材４２は、例えば、前記ボルト部材に挿着される座金状をした複数のリング部材で構成されている。これらリング部材の取付け枚数を調整することにより、着用時における着用者１の顔に対する透明板３０の傾き姿勢が適切に保持された状態となっている。
【００３８】
なお、回動バランス調整部４０は、上記形態に限定されるものではなく、別の実施の形態では、回動枠部２０の取付部２０ｂに、磁力や粘着力で貼着される形態のもの、例えば、１つ以上の磁石、又は磁石シートなどで構成してもよいし、取付部２０ｂに挟着される形態のもの、例えば、重り付きクリップなどで構成してもよい。また、重り部材４２の形状は、リング形状に限定されるものではなく、全体の意匠性等を考慮して、種々の形状のものが採用され得る。
また、回動枠部２０は、上記した三方枠形状の他、頭部装着部１１の左右両側部を囲う二方枠形状のもの（換言すれば、２本の帯状枠部材）で構成されてもよいし、リング枠形状で構成されてもよい。
【００３９】
回動枠部２０の前方側に取り付けられる透明板３０は、可撓性を有する透明なプラスチックシートで構成されており、例えば、着用者１の顔の前面（額から下顎まで）を覆う大きさを備えている。前記プラスチックシートの素材としては、例えば、ポリプロピレン（ＰＰ）、ポリエチレンテレフタレート（ＰＥＴ）、ポリカーボネート（ＰＣ）などが挙げられるが、透明な可撓性を有するシートを形成できるものであれば、特に限定されない。透明板３０の厚さは、軽量化及び耐久性等の観点から、０．２〜０．５ｍｍ程度のものが好ましい。また、透明板３０の表裏面に抗菌・抗ウイルス加工（例えば、コーティング処理等）、又は防曇加工などが施されてもよい。
【００４０】
透明板３０の回動枠部２０への取付形態は特に限定されない。該取付形態は、例えば、スナップボタン式やホック式のように嵌合可能な取付形態としてもよいし、接着剤や粘着テープなどで固着する形態としてもよいし、透明板３０の上部に回動枠部２０を挿通できる細幅のスリットを複数箇所に形成しておき、これらスリットに回動枠部２０を挿通する取付形態としてもよい。
【００４１】
フェイスシールド１０によれば、頭部装着部１１の左右両側部に回動枠部２０が回動固定具２１により頭部装着部１１に対して相対回動可能に取り付けられ、回動枠部２０の前方側に透明板３０が取り付けられ、回動枠部２０における頭部装着部１１との相対回動の回動中心Ａよりも後方側に回動バランス調整部４０が取り付けられている。
係る構成により、回動中心Ａを中心として頭部装着部１１を上下方向に回動させた場合に、回動バランス調整部４０のバランス調整作用により、回動枠部２０及び透明板３０が、その傾き姿勢を保持する方向に相対回動するように構成されている。
【００４２】
次に実施の形態（１）に係るフェイスシールド１０の着用時の動きを説明する。ここでは、飲食時等において、着用者１が正面を向いている状態（例えば、会話をしている状態）から着用者１が斜め下を向いている状態（例えば、飲食物を口に運んでいる状態）に移るときの動きについて説明する。
【００４３】
図２は、実施の形態（１）に係るフェイスシールド１０を着用した着用者１が正面を向いているときの状態を模式的に示す図である。図３は、実施の形態（１）に係るフェイスシールド１０を着用した着用者１が斜め下を向いているときの状態を模式的に示す図である。
【００４４】
図２に示す、着用者１が正面を向いているときの状態では、回動バランス調整部４０のバランス調整作用により、着用者１の顔の前面が透明板３０により覆われた状態となるように、回動枠部２０の傾き姿勢が所定の状態で保持されている状態（換言すれば、つり合っている状態）となっている。なお、所定の状態は、回動バランス調整部４０の重り部材４２の調整により微調整することが可能となっている。
【００４５】
そして、図２に示す状態から、飲食物又はその容器を口に運ぶために、着用者１が斜め下に顔を向けると、図３に示す状態へと変化する。
図３に示すように、頭部装着部１１を頭部に装着した着用者１が、正面を向いた状態から斜め下を向くと、着用者１の顔の下向き動作に合わせて頭部装着部１１が回動中心Ａを中心に下方向に回動する一方、回動枠部２０は、回動バランス調整部４０のバランス調整作用により、その傾き姿勢が正面を向いたときの状態のままつり合った状態で保持される。
そのため、顔を下に向けた着用者１の口元と透明板３０との間のスペースが広がる。したがって、着用者１は、広がったスペースを利用して、飲食物等を口にスムーズに運ぶことが可能となる。
【００４６】
また、着用者１が、飲食物等を口に運び終わった後、図３に示す、斜め下を向いた状態から顔を上げて正面を向くと、着用者１の顔の上向き動作に合わせて頭部装着部１１が回動中心Ａを中心に上方向に回動する。一方で回動枠部２０は、回動バランス調整部４０のバランス調整作用により、その傾き姿勢が正面を向いたときの状態のままつり合った状態で保持されて、図２に示す、着用者１の顔の正面が透明板３０で覆われた状態に戻るようになっている。
【００４７】
上記実施の形態（１）に係るフェイスシールド１０によれば、特に飲食の場面で着用した際に、着用者１の手を煩わせることなく、すなわち、飲食物等を口に運ぶ毎に透明板３０を手で上げ下げする必要もなく、スムーズに飲食を行うことができる。しかも着用者１が正面を向いたときには、顔の正面に透明板３０が配置されている状態に戻っているので、会話等による飛沫の飛散を防ぐことができ、飛沫の飛散防止対策の実効性を高めることが可能となる。したがって、飲食等の場面での使い勝手の良さと感染防止対策とが両立されたフェイスシールドを実現できる。
【００４８】
また、実施の形態（１）に係るフェイスシールド１０によれば、回動バランス調整部４０が、着脱可能な複数の重り部材４２を含んで構成されているので、複数の重り部材４２の装着数を調整することにより、回動中心Ａを中心とする回動枠部２０の傾き加減が調整されて、着用時に透明板３０が顔の正面に位置するように、透明板３０の取付角度を適切に調整することができる。
【００４９】
なお、実施の形態（１）に係るフェイスシールド１０では、回動バランス調整部４０が、締結具４１と複数の重り部材４２とを含んで構成されているが、回動バランス調整部４０の構成はこの形態に限定されない。
別の実施の形態では、例えば、回動バランス調整部が、回動枠部２０の取付部２０ｂに、回動枠部２０に沿ってスライド位置調整可能に取り付けられている構成としてもよい。例えば、回動枠部２０における回動中心Ａよりも後方側に、例えば、段付き溝などを含むスライド溝を前後方向に形成しておき、該スライド溝に重り部材４２をスライド可能に配設した構成などが採用され得る。
係る構成によれば、前記回動バランス調整部をスライドさせて、その位置を調整することにより、上記した回動バランス調整部４０の作用と同様に、回動中心Ａを中心とする回動枠部２０の傾き加減が調整されて、着用時に透明板３０が顔の正面に位置するように、透明板３０の取付角度を適切に調整することができる。
【００５０】
また、フェイスシールド１０によれば、クリップ部２１ａを備えた回動固定具２１によって、回動枠部２０が、頭部装着部１１に対して着脱可能に構成されているので、頭部装着部１１に対する回動枠部２０の取付け位置調整が可能となり、また頭部装着部１１や回動枠部２０等の交換が容易に行えることとなる。
【００５１】
図４は、実施の形態（２）に係るフェイスシールドを模式的に示す斜視図である。
図５は、実施の形態（２）に係るフェイスシールドの使用状態を模式的に示す図であり、着用者が斜め上を向いているときの状態を示す図である。
なお、回動枠部２０に設けられた支持部５０以外の構成は、上記した実施の形態（１）に係るフェイスシールド１０と同一であるので、同一機能を有する構成部品には同一符号を付し、ここではその説明を省略する。
【００５２】
実施の形態（２）に係るフェイスシールド１０Ａでは、回動枠部２０の前方内側面から略水平方向に支持部５０が略三日月状に延設されている。支持部５０は、着用時において、頭部装着部１１の鍔部１１ａの上方に位置する形態となっている。
支持部５０は、図５に示すように、頭部装着部１１が回動中心Ａを中心にして上方向に大きく回動した場合に、鍔部１１ａに係止された状態で、頭部装着部１１とともに回動枠部２０を上方向に回動させるように、回動枠部２０及びそれと一体化された透明板３０を支持するための部材である。なお、支持部５０の形状は、略三日月状に限定されるものではなく、鍔部１１ａに係止可能な形状であれば特に限定されない。
【００５３】
上記実施の形態（２）に係るフェイスシールド１０Ａによれば、実施の形態（１）に係るフェイスシールド１０と同様の効果が得られるとともに、支持部５０をさらに備えているので、頭部装着部１１が回動中心Ａを中心にして上方向に大きく回動した場合には、頭部装着部１１とともに回動枠部２０を上方向に回動させるように、支持部５０により回動枠部２０及びそれと一体化された透明板３０が支持される。
したがって、着用者１が顔を大きく上に向けた場合であっても、着用者１の顔（特に、鼻や口）と、透明板３０とが接触することを防止できる。
【００５４】
なお、実施の形態（２）に係るフェイスシールド１０Ａでは、支持部５０が回動枠部２０の前方内側面から略水平方向に延設されているが、別の実施の形態では、支持部５０が透明板３０の内側面から略水平方向に延設された形態であってもよい。
【００５５】
また、頭部装着部１１に鍔部１１ａが設けられていない場合には、例えば、回動固定具２１に支持部５０に相当する構成が設けられてもよい。
図６は、別の実施の形態に係るフェイスシールドの使用状態を模式的に示す図であり、（ａ）は、着用者が正面を向いているときの状態を示す図、（ｂ）は、着用者が斜め上を向いているときの状態を示す図である。
図６に示すフェイスシールド１０Ｂでは、頭部装着部１１の回動に合わせて、回動中心Ａを中心に回動する回動固定具２１Ａに支持部２１ｃが装備されている。支持部２１ｃは、回動支持部２１ｂから前方側に延設され、回動枠部２０の下辺を支持可能な形態（例えば、支持片）を備えている。
係る構成によれば、図６（ａ）、（ｂ）に示すように、頭部装着部１１が回動中心Ａを中心にして上方向に所定角度以上回動した場合に、回動固定具２１Ａの支持部２１ｃが、回動枠部２０の下辺を支持して、頭部装着部１１とともに回動枠部２０が上方向に回動することとなり、上記したフェイスシールド１０Ａと同様に、着用者１が顔を大きく上に向けた場合であっても、着用者１の顔（特に、鼻や口）と、透明板３０とが接触することを防止できる。もちろん、実施の形態（１）に係るフェイスシールド１０と同様の効果が得られることは言うまでもない。
【００５６】
図７は、実施の形態（３）に係るフェイスシールドを模式的に示す斜視図である。
なお、頭部装着部１１Ａに設けられた小型の排気ファン（排気手段）６０以外の構成は、実施の形態（１）に係るフェイスシールド１０と同一であるため、同一機能を有する構成部品には同一符号を付し、ここではその説明を省略する。
【００５７】
実施の形態（３）に係るフェイスシールド１０Ｃでは、透明板３０と頭部装着部１１Ａとの間に確保された空隙に、電池駆動式の小型の排気ファン６０が設けられている。排気ファン６０は、左右に配置された２つの回転翼部６１と、これら回転翼部６１が取り付けられるファン取付部６２とを備え、鍔部に相当する形状をしたファン取付部６２が頭部装着部１１Ａと一体化されている。なお、ファン取付部６２には、回転翼部６１を駆動させるための電池（図示せず）が配設されている。なお、回転翼部６１の配設個数は、２つに限定されるものではなく、１つでもよいし、３つ以上でもよいが、軽量化、静音化の観点から少ない方がよい。また、回転翼部６１の上下面には、飛沫を捕捉可能なフィルタ部材６３が装着可能となっている。
【００５８】
上記実施の形態（３）に係るフェイスシールド１０Ｃによれば、透明板３０が、着用者１の頭部との間に所定の空隙が確保されるように取り付けられ、該空隙に配置される排気ファン６０をさらに備えているので、排気ファン６０により、着用者１の顔面と透明板３０との間の空気の滞留を防ぎ、空気の入れ替えを促進することができる。また、透明板３０が、着用者の呼気で曇る現象などを防止することができる。
【００５９】
また、排気ファン６０の回転翼部６１には、飛沫を捕捉可能なフィルタ部材６３が装着可能となっているので、フィルタ部材６３により着用者の飛沫が捕捉されることとなり、前記飛沫の飛散を阻止することができ、前記飛沫の飛散防止対策の効果を一層高めることができる。
【００６０】
なお、上記実施の形態（３）に係るフェイスシールド１０Ｃでは、排気ファン６０が、頭部装着部１１Ａと一体化されている形態（すなわち、ファン付き帽子式）であったが、別の実施の形態では、排気ファン６０が、頭部装着部１１Ａに対して着脱可能に構成されてもよい。例えば、排気ファン６０のファン取付部６２と頭部装着部１１Ａとに面ファスナーが取り付けられ、排気ファン６０と頭部装着部１１Ａとが着脱可能に構成されてもよい。
また、頭部装着部１１Ａと、排気ファン６０とが別々のものとして構成され、別々に着用者１の頭部に装着する構成としてもよい。この場合、例えば、排気ファン６０が、着用者１の側頭部に装着可能な略Ｃ型形状をしたＣ型装着部（ファン取付部６２に相当する）と、該Ｃ型装着部の開放端に取り付けられた２つの回転翼部６１とを備えている構成としてもよい。
【００６１】
係る構成によれば、排気ファン６０が、頭部装着部１１Ａに対して、又は着用者１の頭部に対して着脱可能に構成されているので、使用する場面や着用者１の要望等に応じて、排気ファン６０を適宜装着することができる。
【００６２】
なお、上記実施の形態（１）、（２）に係るフェイスシールド１０、１０Ａ等では、頭部装着部１１が、帽子式のもので構成されていたが、頭部装着部１１の形態はこれに限定されるものではない。
別の実施の形態では、図８に示すように、フェイスシールド１０Ｄを構成する頭部装着部１１Ｂが、頭部に巻装されるバンド式（例えば、ゴムバンド式、長さ調整可能なバンド式）のもので構成されてもよい。なお、上記した実施の形態（３）に係るフェイスシールド１０Ｃにおいて、帽子式の頭部装着部１１Ａに代えて、バンド式の頭部装着部１１Ｂで構成してもよい。
【００６３】
さらに別の実施の形態では、図９に示すように、フェイスシールド１０Ｅを構成する頭部装着部１１Ｃが、頭部を弾性的に挟持する挟持枠式（例えば、カチューシャ式）のもので構成されてもよい。なお、別の実施の形態では、頭部装着部がバンド式と挟持枠式とを組み合わせた形態のもので構成されてもよい。
また、さらに別の実施の形態では、図１０に示すように、フェイスシールド１０Ｆを構成する頭部装着部１１Ｄが、メガネフレーム式のもので構成されてもよい。メガネフレーム式の頭部装着部１１Ｄの場合、回動枠部２０の回動固定具２１をテンプル部１１ｂに取り付けやすくするために、テンプル部１１ｂに、回動固定具２１を取り付けるための取付部１１ｃが形成されてもよい。
【００６４】
上記した別の実施の形態では、実施の形態（１）に係るフェイスシールド１０と同様の効果が得られるとともに、バンド式の頭部装着部１１Ｂである場合、着用者１の頭部に装着したときの安定性を高めることができ、また、挟持枠式の頭部装着部１１Ｃ、又はメガネフレーム式の頭部装着部１１Ｄである場合、着用者１が頭部に装着するときの抵抗感を減らすことができる。
【００６５】
本発明に係るフェイスシールドは、上記した実施の形態に係るフェイスシールドに限定されるものではなく、本発明の技術的思想の範囲内、すなわち同一の作用効果を発揮できる形状及び寸法の範囲内で適宜変更することができることは言うまでもない。
【符号の説明】
【００６６】
１      着用者
１０、１０Ａ、１０Ｂ、１０Ｃ、１０Ｄ、１０Ｅ、１０Ｆ  フェイスシールド
１１、１１Ａ、１１Ｂ、１１Ｃ、１１Ｄ    頭部装着部
１１ａ  鍔部
１１ｂ  テンプル部
１１ｃ  取付部
２０    回動枠部
２０ａ  軸孔
２０ｂ  取付部
２１、２１Ａ  回動固定具
２１ａ  クリップ部
２１ｂ  回動支持部
２１ｂａ  軸部
２１ｂｂ  軸支持部
２１ｃ  支持部
３０    透明板
４０    回動バランス調整部
４１    締結具
４２    重り部材
５０    支持部
６０    排気ファン
６１    回転翼部
６２    ファン取付部
６３    フィルタ部材
Ａ      回動中心
【要約】
【課題】特に飲食の場面で着用した際に、着用者の手を煩わせることなくスムーズに飲食を行うことができ、しかも飛沫の飛散防止対策の実効性を高めることができるフェイスシールドを提供すること。
【解決手段】着用者の顔の前面を覆うように装着されるフェイスシールド１０であって、着用者の頭部に装着する頭部装着部１１と、頭部装着部１１の左右両側部に、頭部装着部１１に対して相対回動可能に取り付けられる回動枠部２０と、回動枠部２０の前方側に取り付けられる透明板３０と、回動枠部２０における頭部装着部１１との相対回動の回動中心Ａよりも後方側に取り付けられる回動バランス調整部４０とを備え、回動バランス調整部４０が、頭部装着部１１と回動枠部２０との相対回動時に、回動枠部２０の傾き姿勢を保持するように調整する。
【選択図】図１【図１】
0006962535.tif 000002
【図２】
0006962535.tif 000003
【図３】
0006962535.tif 000004
【図４】
0006962535.tif 000005
【図５】
0006962535.tif 000006
【図６】
0006962535.tif 000007
【図７】
0006962535.tif 000008
【図８】
0006962535.tif 000009
【図９】
0006962535.tif 000010
【図１０】
0006962535.tif 000011